(57)【特許請求の範囲】
【請求項１】
チップ部品が収納されたテープ本体から前記チップ部品を取り出すのに先立ち、前記チップ部品を覆うトップテープを前記テープ本体から剥がして巻き取る巻き取りリールであって、前記巻き取りリールは、円筒形の芯と、この芯の一方の側面に連結して設けられた円形状の鍔とを備え、前記芯と前記鍔に跨る大形の切り込みを設けるとともに弾性部材で形成された巻き取りリール。
【請求項２】
大形の切り込みの対称側の鍔に小形の切り込みが設けられた請求項１に記載の巻き取りリール。
【請求項３】
大形の切り込みの対称側の芯の内側に凹部が設けられた請求項１に記載の巻き取りリール。
【請求項４】
大形の切り込みの外側に向かって開口した開口角は略１５度とした請求項１に記載の巻き取りリール。
【請求項５】
芯と鍔は一体成形された請求項１に記載の巻き取りリール。
【請求項６】
ポリプロピレンで形成された請求項５に記載の巻き取りリール。
【請求項７】
鍔は半透明又は、透明とした請求項１に記載の巻き取りリール。
【発明の詳細な説明】
【０００１】
【発明の属する技術分野】
本発明は、チップ部品を用いた電子装置の製造時に用いられる巻き取りリールに関するものである。
【０００２】
【従来の技術】
チップ部品を使用した電子装置の製造時において、図４に示すように、テープ本体（台紙）１に形成された凹部２内に収納されたチップ部品３を取り出して、電子装置のプリント基板に装着する訳であるが、このときチップ部品３の取り出しに先立ち、テープ本体１の凹部２の天面を覆っているトップテープ４を剥がす必要がある。このトップテープ４を矢印５方向に引っ張ってトップテープ４を剥がして、チップ部品３を取り出す。そして、このトップテープ４は、図５に示すように巻き取りリール６に巻き取られて処理される。
【０００３】
以下、従来の巻き取りリールについて説明する。従来の巻き取りリール６は図５に示すように、円筒状の芯７と、この芯７に連結して側面に設けられた円形状の鍔８とで構成されていた。そして、この芯７にトップテープ４が巻き付けられていた。
【０００４】
この巻き取りリール６は、図６に示すように駆動部９に連結されたラチェット１０に装着されて巻き取られていた。
【０００５】
そして、この巻き取りリール６に巻き取られたトップテープ４は、電子装置の製造においては不要なものであり、巻き取りリール６からトップテープ４を取り外さなければならない。この取り外しには、巻き取られたトップテープ４の端を持ち、何回も手作業で取り外す作業を行っていた。
【０００６】
【発明が解決しようとする課題】
しかしながらこのような従来の構成では、巻き取られたトップテープ４を巻き取りリール６から取り外す場合、巻き取られたトップテープ４の端を持ち、何回も手作業で取り外す作業が連続することから、作業者の負担が大きかった。
【０００７】
そこで本発明は、このような問題点を解決するもので、容易にトップテープを巻き取りリールから取り外すことのできる巻き取りリールを提供することを目的としたものである。
【０００８】
【課題を解決するための手段】
この目的を達成するために本発明の巻き取りリールは、円筒形の芯と、この芯の一方の側面に連結して設けられた円形状の鍔とを備え、前記芯と前記鍔に跨る大形の切り込みを設けるとともに弾性部材で形成されたものである。これにより、容易にトップテープを巻き取りリールから取り外すことができる。
【０００９】
【発明の実施の形態】
本発明の請求項１に記載の発明は、チップ部品が収納されたテープ本体から前記チップ部品を取り出すのに先立ち、前記チップ部品を覆うトップテープを前記テープ本体から剥がして巻き取る巻き取りリールであって、前記巻き取りリールは、円筒形の芯と、この芯の一方の側面に連結して設けられた円形状の鍔とを備え、前記芯と前記鍔に跨る大形の切り込みを設けるとともに弾性部材で形成された巻き取りリールであり、芯と鍔に跨る大形の切り込みを設けるとともに弾性部材で形成されているので、鍔の外形を押すことで芯の内径が小さくなり、巻き取られたトップテープを容易に取り外すことができる。
【００１０】
請求項２に記載の発明は、大形の切り込みの対称側の鍔に小形の切り込みが設けられた請求項１に記載の巻き取りリールであり、対称側に切り込みを有しているので、この部分の鍔が拡がり易くなり、より小さな押圧力で芯の内径を小さくすることができトップテープをより容易に取り外すことができる。
【００１１】
請求項３に記載の発明は、大形の切り込みの対称側の芯の内側に凹部が設けられた請求項１に記載の巻き取りリールであり、対称側の芯の内側に凹部を設けているので、より小さな押圧力で芯の内径を小さくすることができトップテープをより容易に取り外すことができる。
【００１２】
請求項４に記載の発明は、大形の切り込みの外側に向かって開口した開口角は略１５度とした請求項１に記載の巻き取りリールであり、この程度の開口角では切り込みによる影響がほとんど無くトップテープの巻き取りが可能となるとともに適切な芯の内径も得ることができるので、巻き取りリールの性能を損なうことなく、容易な取り外しができる。
【００１３】
請求項５に記載の発明の芯と鍔は、一体成形された請求項１に記載の巻き取りリールであり、芯と鍔とを別の部材で固定する必要がない。また、一体成形されているので、低価格の巻き取りリールが実現できる。
【００１４】
請求項６に記載の発明は、ポリプロピレンで形成された請求項５に記載の巻き取りリールであり、弾性があるとともに材料が低価格であり、成形も容易にできる材料であることから低価格の巻き取りリールが実現できる。
【００１５】
請求項７に記載の発明の鍔は、半透明又は、透明とした請求項１に記載の巻き取りリールであり、巻き取られたトップテープの量が外部から容易に目視でき、交換時期を容易に知ることができる。
【００１６】
以下、本発明の一実施の形態について図面を用いて説明する。図１は本発明の一実施の形態に於ける巻き取りリールの平面図であり、図２はその断面図である。
【００１７】
図１において、１１は円筒形状の芯であり、１２はこの芯１１と一体に形成された円形状の鍔であり、共にポリプロピレンで形成されている。１３は、大形の切り込みであり、芯１１の中心から鍔１２の外方に向かって略１５度の角度で開口している。この切り込み１３の開口角１３ａは１０度から２０度程度であれば良い。
【００１８】
１４は、切り込み１３の芯１１に対して対称側の鍔１２に設けられた小形の切込みである。１５は、切り込み１３の対称側の芯１１に設けられた凹部である。
【００１９】
４は、このように構成された巻き取りリール１６の芯１１に巻き付けられたトップテープである。そしてこの巻き取りリール１６は、図２に示すように駆動部９に連結されたラチェット１０に装着される。即ち、駆動部９を回転させることにより、ラチェット１０が回転し、このラチェット１０に装着された巻き取りリール１６が回転することになる。このことにより、芯１１にトップテープ４が巻き取られる。
【００２０】
このようにして、図４で示すテープ本体１の凹部２に収納されるチップ部品３を取り出すに際してトップテープ４を剥がしている。
【００２１】
次に、巻き取りリール１６に巻き取られたトップテープ４の取り外しについて図３に基づいて説明する。図３において、作業者が巻き取りリール１６の鍔１２の切り込み１３，１４に対して垂直の位置１７と１８を芯１１方向に押圧する。すると、芯１１の外形が小さくなり、トップテープ４と芯１１との間に隙間１９ができる。これによりトップテープ４と芯１１との密着状態が解消されトップテープ４を容易に芯１１から取り外すことができる。
【００２２】
なお、鍔１２は透明または半透明な部材で構成することにより、巻き取られたトップテープ４の状態を外部から目視することが可能となり、巻き取りリールの交換時期を容易に知ることができる。また、この巻き取りリール１６の大きさは概ね次のような寸法である。即ち、鍔１２の直径は８ｃｍ、芯１１の直径は３ｃｍ、幅は１ｃｍである。
【００２３】
以上のように、本実施の形態によれば、鍔１２の切り込み１３，１４に対して垂直方向（９０度方向）１７，１８を押圧することにより、芯１１の外形が小さくなるので、トップテープ４を容易に外すことができる。また、芯１１と鍔１２とは一体成形されているので、芯１１と鍔１２とを係止する部材が不要となり、低価格化と部品管理の簡便化を図ることができる。更に、ポリプロピレンで形成されているので適度の弾性が得られる。
【００２４】
【発明の効果】
以上のように本発明によれば、円筒形の芯と、この芯の一方の側面に連結して設けられた円形状の鍔とを備え、前記芯と前記鍔に跨る大形の切り込みを設けるとともに弾性部材で形成されたものであり、芯と鍔に跨る大形の切り込みを設けるとともに弾性部材で形成されているので、鍔の外形を押すことで芯の内径が小さくなり、巻き取られたトップテープを容易に取り外すことができる。
【図面の簡単な説明】
【図１】本発明の一実施の形態に於ける巻き取りリールの平面図
【図２】同、断面図
【図３】同、トップテープの取り外しを説明する平面図
【図４】チップ部品が収納されたテープの断面図
【図５】従来の巻き取りリールの平面図
【図６】同、断面図
【符号の説明】
４  トップテープ
１１  芯
１２  鍔
１３  切り込み
１４  切り込み
【図１】
0003948219.tif 000002
【図２】
0003948219.tif 000003
【図３】
0003948219.tif 000004
【図４】
0003948219.tif 000005
【図５】
0003948219.tif 000006
【図６】
0003948219.tif 000007